(57)【特許請求の範囲】
【請求項１】
装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーを待機位置に保持する装身具の中留。
【請求項２】
装身具の短手方向の側面より突出したプッシュボタンのプッシュ操作により、プッシュボタンの係合部と係合部材の係合部との係合を解除できるプッシュ中留機構を備えた装身具の中留であって、
プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーを待機位置に保持する装身具の中留。
【請求項３】
装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーに係脱可能に係合する係合体を備え、
係合体が、ロックピン、スプリングに付勢されたボール、ばね部材、あるいは弾性体のいずれか１つである装身具の中留。
【請求項４】
装身具の短手方向の側面より突出したプッシュボタンのプッシュ操作により、プッシュボタンの係合部と係合部材の係合部との係合を解除できるプッシュ中留機構を備えた装身具の中留であって、
プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーに係脱可能に係合する係合体を備え、
係合体が、ロックピン、スプリングに付勢されたボール、ばね部材、あるいは弾性体のいずれか１つである装身具の中留。
【請求項５】
装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーを適宜の位置に停止させる停止手段を備え、
この停止手段がスライドカバーに圧縮される弾性体を備え、
スライドカバーがバンド長手方向に摺動する装身具の中留。
【請求項６】
装身具の短手方向の側面より突出したプッシュボタンのプッシュ操作により、プッシュボタンの係合部と係合部材の係合部との係合を解除できるプッシュ中留機構を備えた装身具の中留であって、
プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーを適宜の位置に停止させる停止手段を備え、
この停止手段がスライドカバーに圧縮される弾性体を備え、
スライドカバーがバンド長手方向に摺動する装身具の中留。
【請求項７】
請求項１から６のいずれかに記載の装身具の中留であって、
カバー体係合機構が、スライドカバーをプッシュボタン覆い位置に保持する装身具の中留。
【請求項８】
請求項１から６のいずれかに記載の装身具の中留であって、
中留からのスライドカバーの脱落を防止する抜け止め機構、あるいはプッシュ中留機構に連結される装身具の連結端からのスライドカバーの脱落を防止する抜け止め機構を備える装身具の中留。
【請求項９】
請求項１から６のいずれかに記載の装身具の中留であって、
プッシュ中留機構が両プッシュ中留構成、あるいは片プッシュ中留構成である装身具の中留。
【請求項１０】
請求項１から６のいずれかに記載の装身具の中留であって、
プッシュ中留機構が両プッシュ中留構成であり、
スライドカバーが、２つのプッシュボタンのうち、いずれか一方を覆う装身具の中留。
【請求項１１】
請求項１から６のいずれかに記載の装身具の中留であって、
プッシュ中留機構を、中折れ部材が複数折れである装身具構成に設けた装身具の中留。
【請求項１２】
請求項１から６のいずれかに記載の装身具の中留であって、
プッシュ中留機構を、中折れ部材が観音開きである装身具構成に設けた装身具の中留。
【請求項１３】
請求項１から請求項１２のいずれかに記載の装身具の中留を備える装身具。
【発明の詳細な説明】
【０００１】
【産業上の利用分野】
本発明は、腕時計の時計バンド、ブレスレット、ネックレス等の装身具の装身具の中留構造に関するものである。
【０００２】
【従来の技術】
従来の腕時計の時計バンドの装身具の中留構造を図３３及び図３４に示す。この装身具の中留構造にあっては、中留枠９０のプッシュボタン装入部９１に、一端側から一方のプッシュボタン９２が、他端側から他方のプッシュボタン９３がそれぞれ挿入してあって、一方のプッシュボタン９２の元側ばね受け部９９Ａと他方のプッシュボタン９３の先側ばね受け部９９Ｂとの間及び一方のプッシュボタン９２の先側ばね受け部９９Ｂと他方のプッシュボタン９３の元側ばね受け部９９Ａとの間に、それぞれスプリング９４が介装してあり、これらのスプリング９４の付勢力により一方及び他方のプッシュボタン９２、９３は互いに離間されていて、一方のプッシュボタン９２のストッパ部９８は一方の抜け止めピン９７Ａに、他方のプッシュボタン９３のストッパ部９８は他方の抜け止めピン９７Ｂにそれぞれ当接している。
【０００３】
そして、一方及び他方のプッシュボタン９２、９３の係合部９７は互いに対向していて、これらでボタン側係合部を構成している。また、プッシュボタン９２、９３の押し部９５Ａが、プッシュボタン装入部９１外方に突出する。
【０００４】
そして、前記中留枠９０の一端部の連かん駒連結部９２Ａに一方の時計バンド１００を連かん駒１００Ａを介して連結し、他端部の連かん駒連結部９２Ｂにヒンジ１０２を介して表板１０３を取り付け、この表板１０３の裏面部に係合ピン１０４が取り付けてある。
【０００５】
そして、腕時計を手首に沿わせた後に、他方の時計バンド１０５の端部の取付棒１０６を前記表板１０３に引っ掛け、この表板１０３を折り畳んで表板１０３を嵌合凹部１０７に嵌合して係合ピン１０４を孔部１０８に挿入し、この係合ピン１０４を前記ボタン側係合部、すなわち一方及び他方のプッシュボタン９２、９３の互いに対向する係合部９７に係合して、前記腕時計を手首に装着する。
【０００６】
また、前記腕時計を手首から外す場合には、一方及び他方のプッシュボタン９２、９３の押し部９５Ａを親指と人差し指で挟んで内側に押すことにより、一方及び他方のプッシュボタン９２、９３をスプリング９４に抗して移動させることにより係合部９７間を開いて係合を解除し、表板１０３を外に開いて、係合ピン１０４を孔部１０８より抜き出し取付棒１０６を表板１０３より外す。
【０００７】
【発明が解決しようとする課題】
しかしながら、上記の装身具の中留構造にあっては、前記プッシュボタン９２、９３のロックがないために、意図しない外力によりプッシュボタン９２、９３が押圧されて係合部９７と係合ピン１０４との係合が解除されることがあり、腕時計が脱落し、破損、紛失してしまうという問題点があった。
【０００８】
特に、ダイバーの潜水時、潜水時間を計測する腕時計の脱落や紛失は、ダイバーの生命に係わるため、ダイバー用腕時計のプッシュ中留において、上記の欠点（問題点）を補え得る構造が望まれていた。
【０００９】
本発明は、上記の問題点に着目して成されたものであり、その目的とするところは、意図しない外力によりプッシュボタンが押圧されて中留機構の係合部と係合部材の係合部との係合が解除されることを防ぎ、延いては、装身具の脱落を防止することができる装身具の中留構造を提供することにある。
【００１０】
【課題を解決するための手段】
上記目的を達成するために、請求項１の発明に係わる装身具の中留は、「装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーを待機位置に保持する」ことを特徴とする。
【００１１】
上記目的を達成するために、請求項２の発明に係わる装身具の中留は、「装身具の短手方向の側面より突出したプッシュボタンのプッシュ操作により、プッシュボタンの係合部と係合部材の係合部との係合を解除できるプッシュ中留機構を備えた装身具の中留であって、
プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーを待機位置に保持する」ことを特徴とする。
【００１２】
また、本発明に係わる装身具の中留は、請求項３に記載された通り、「装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーに係脱可能に係合する係合体を備え、
係合体が、ロックピン、スプリングに付勢されたボール、ばね部材、あるいは弾性体のいずれか１つである」ものとすることができる。
【００１３】
また、本発明に係わる装身具の中留は、請求項４に記載された通り、「装身具の短手方向の側面より突出したプッシュボタンのプッシュ操作により、プッシュボタンの係合部と係合部材の係合部との係合を解除できるプッシュ中留機構を備えた装身具の中留であって、プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーに係脱可能に係合するカバー体係合機構を備え、
このカバー体係合機構が、スライドカバーに係脱可能に係合する係合体を備え、
係合体が、ロックピン、スプリングに付勢されたボール、ばね部材、あるいは弾性体のいずれか１つである」ものとすることができる。
【００１４】
また、本発明に係わる装身具の中留は、請求項５に記載された通り、「装身具の短手方向の側面より突出したプッシュボタンのプッシュ操作により、プッシュボタンの係合部と係合部材の係合部との係合を解除できるプッシュ中留機構を備えた装身具の中留であって、
この中留に、バンド長手方向に沿った一方向への移動によりプッシュボタンを覆い、かつバンド長手方向に沿った他方向への移動によりプッシュボタンを露出させるスライドカバーを設け、
このスライドカバーを適宜の位置に停止させる停止手段を備え、
この停止手段がスライドカバーに圧縮される弾性体を備え、
スライドカバーがバンド長手方向に摺動する」ものとすることができる。
【００１５】
また、本発明に係わる装身具の中留は、請求項６に記載された通り、「装身具の短手方向の側面より突出したプッシュボタンのプッシュ操作により、プッシュボタンの係合部と係合部材の係合部との係合を解除できるプッシュ中留機構を備えた装身具の中留であって、
プッシュ中留機構に連結される装身具の連結端に、バンド長手方向に沿った一方向への移動によりプッシュボタンを覆い、かつバンド長手方向に沿った他方向への移動によりプッシュボタンを露出させるスライドカバーを設け、
このスライドカバーを適宜の位置に停止させる停止手段を備え、
この停止手段がスライドカバーに圧縮される弾性体を備え、
スライドカバーがバンド長手方向に摺動する」ものとすることができる。
【００１６】
また、本発明に係わる装身具の中留は、請求項７に記載された通り、「カバー体係合機構が、スライドカバーをプッシュボタン覆い位置に保持する」ものとすることができる。
また、本発明に係わる装身具の中留は、請求項８に記載された通り、「中留からのスライドカバーの脱落を防止する抜け止め機構、あるいはプッシュ中留機構に連結される装身具の連結端からのスライドカバーの脱落を防止する抜け止め機構を備える」ものとすることができる。
【００１７】
また、本発明に係わる装身具の中留は、請求項９に記載された通り、「プッシュ中留機構が両プッシュ中留構成、あるいは片プッシュ中留構成である」ものとすることができる。さらに、本発明に係わる装身具の中留は、請求項１０に記載された通り、「プッシュ中留機構が両プッシュ中留構成であり、スライドカバーが、２つのプッシュボタンのうち、いずれか一方を覆う」ものとすることができる。
さらに、また、本発明に係わる装身具の中留は、請求項１１に記載された通り、「プッシュ中留機構を、中折れ部材が複数折れである装身具構成に設けた」ものとすることができる。
この場合、本発明に係わる装身具の中留は、請求項１２に記載された通り、「プッシュ中留機構を、中折れ部材が観音開きである装身具構成に設けた」ものとすることができる。
【００１８】
また、発明は、請求項１３に記載された通り、請求項１から請求項１２のいずれかに記載の装身具の中留を備える装身具である。
【００１９】
【作用】
かかる構成により、装身具を手首に沿わせて係合部材の係合部をボタン側係合部に係合して装身具を手首に装着した後に、カバー体を指先で摘んで、このカバー体を一方向に移動してカバー体でプッシュボタンを覆い隠し、意図しない外力がプッシュボタンに作用するようなことがなくなる。このために、前記プッシュボタンの係合部と係合部材の係合部との係合が解除されることが防止されて、装身具の脱落が防止される。
【００２０】
また、前記装身具を手首から外す場合には、前記カバー体を指先で摘んで、他方向に移動して前記プッシュボタンを表に出し、プッシュボタンの押し操作により、係合部材の係合部のプッシュボタンの係合部への係合を解除する。
【００２１】
【実施例】
以下、本発明の実施例を図面に基づいて詳細に説明する。
【００２２】
（実施例１）
図１は本発明に係わる装身具の中留構造の実施例１の分解状態の斜視図、図２は図１のＡ−Ａ線に沿う断面図、図３は図１のＢ−Ｂ線に沿う断面図、図４は図２のＣ−Ｃ線に沿う断面図、図５はスライドカバーの断面図、図６はスライドカバーのバンド長手方向の端部の一部省略した斜視図である。
【００２３】
本発明に係わる装身具の中留構造を組み付けた装身具、例えばシングル・ロックタイプの時計バンド構造は、図１に示すように腕時計（図示せず）の一方のバンド取付部（図示せず）に連結された一方の時計バンド１と、腕時計の他方のバンド取付部（図示せず）に連結された他方の時計バンド２と、プッシュ中留機構（中留具）３とから構成されている。そして、他方の時計バンド２の端部の連かん駒２Ａの一対のアーム部２Ｃには取付棒２Ｂが取り付けてある。
【００２４】
前記プッシュ中留機構３は、ケース本体４と、係合部である係合ピン６を有する係合部材である表板７と、プッシュボタン機構部８と、このプッシュボタン機構部８を覆うカバー体であるスライドカバー９とを備えている。
【００２５】
そして、前記ケース本体４の一端部には、一方の時計バンド１の連かん駒１Ａに連結される一方の連かん駒連結部１２Ａが、他端部には他方の連かん駒連結部（ヒンジ連結部）１２Ｂがそれぞれ形成してある。そして、ケース本体４は、一方の連かん駒連結部１２Ａ側がカバー待機部１０に、他方の連かん駒連結部１２Ｂ側が中留枠部１１に成されており、このカバー待機部１０のバンド短手方向の両端面には中留枠部１１に寄せて抜け止め突起１０Ａが形成してあり、中留枠部１１にはバンド短手方向に沿うプッシュボタン装入部１３が形成してあり、このプッシュボタン装入部１３の両端はケース本体４のバンド短手方向の両端部に開口している。また、中留枠部１１の表面部には表板嵌合凹部１４が形成してあり、この表板嵌合凹部１４の中央部には孔部１５が形成してある。
【００２６】
また、前記プッシュボタン装入部１３内には、対角に位置させて２本の抜け止めピン１６Ａ、１６Ｂが取り付けてあり、前記中留枠部１１の連かん駒連結部１２Ｂにはヒンジ１７を介して前記表板７が取り付けられおり、この表板７は捩じりばね５Ａにより常に拡開方向に付勢されている。そして、前記表板７の裏面部に設けた前記係合ピン６は軸部６ａの先端に傘部６ｂを形成したものである。すなわち、係合部材である表板７の係合部として前記係合ピン６が形成される。
【００２７】
前記プッシュボタン機構部８は一方及び他方のプッシュボタン１８、１９と、２個のスプリング２０とを備えており、一方及び他方のプッシュボタン１８、１９は、図４に示すように端部に押部２１Ａを形成したボタン本体２１を有しており、このボタン本体２１の先部の一側には切欠き部２２が形成してあって、この切欠き部２２の先側に円弧形状の係合部２３が、切欠き部２２の元側にはストッパ部２４がそれぞれ形成してあり、また、ボタン本体２１には、一側に位置する元側ばね受け部２５と他側に位置する先側ばね受け部２６とが形成してある。
【００２８】
そして、プッシュボタン装入部１３には、一端側から一方のプッシュボタン１８が、他端側から他方のプッシュボタン１９がそれぞれ挿入してあって、一方のプッシュボタン１８の元側ばね受け部２５と他方のプッシュボタン１９の先側ばね受け部２６との間及び一方のプッシュボタン１８の先側ばね受け部２６と他方のプッシュボタン１９の元側ばね受け部２５との間に、それぞれ前記スプリング２０が介装してあり、これらのスプリング２０の付勢力により一方及び他方のプッシュボタン１８、１９は互いに離間されていて、一方のプッシュボタン１８のストッパ部２４は一方の抜け止めピン１６Ａに、他方のプッシュボタン１９のストッパ部２４は他方の抜け止めピン１６Ｂにそれぞれ当接している。
【００２９】
そして、一方及び他方のプッシュボタン１８、１９の係合部２３は互いに対向していて、これらでボタン側係合部を構成している。また、プッシュボタン１８、１９の押し部２１Ａが、プッシュボタン装入部１３外方に突出している。
【００３０】
また、前記ケース本体４のカバー待機部１０には、前記スライドカバー９がバンド長手方向に移動可能に装着してある。すなわち、スライドカバー９は、カバー本体２７に裏蓋２８をネジ止めして構成してあって、その内部にバンド長手方向に沿うスライド孔２９が形成してある。このスライド孔２９の両側面側にはプッシュボタン挿入溝部３０が形成してあり、これらプッシュボタン挿入溝部３０の一方の時計バンド１側の端部にはストッパー部３１が突設してあり、また、スライド孔２９の天井面２９ａには表板挿入溝３２が形成してある。そして、スライドカバー９は、そのスライド孔２９に前記カバー待機部１０が摺動可能に挿入された状態でケース本体４に取り付けてある。
【００３１】
次に、上記のように構成された中留構造を備えた時計バンド構造を有する腕時計の装着及びこの装着の解除とを説明する。
【００３２】
まず、腕時計を手首に沿わせた後に、他方の時計バンド２の端部の取付棒２Ａを前記ケース本体４に連結された前記表板７に引っ掛け、この状態で、前記表板７を折り畳んで、この表板７を表板嵌合凹部１４に嵌合して表板７に設けた係合ピン６を孔部１５に挿入し、この係合ピン６を前記ボタン側係合部、すなわち一方及び他方の前記プッシュボタン１８、１９の互いに対向する係合部２３に係合して、前記腕時計を手首に装着する。
【００３３】
前記係合ピン６の係合部２３への係合は、この係合ピン６の端部の傘部６ｂで、一方及び他方のプッシュボタン１８、１９の係合部２３間をバンド短手方向に互いに離間するように押し開き、係合ピン６の軸部６ａが挿入されると一方及び他方のプッシュボタン１８、１９の係合部２３が前記スプリング２０の付勢力により閉じて係合ピン６の軸部６ａに係合することで行われる。
【００３４】
次に、前記スライドカバー９を指先で摘んで、前記ストッパー部３１が前記抜け止め突起１０Ａに衝接するまで、スライドカバー９をケース本体４の中留枠部１１側に移動してプッシュボタン挿入溝部３０にプッシュボタン１８、１９を、表板挿入溝３２に表板７をそれぞれ挿入して、このスライドカバー９でプッシュボタン１８、１９の押部２１Ａを覆い隠す。
【００３５】
したがって、プッシュボタン１８、１９の押部２１Ａがスライドカバー９により覆い隠されているために、意図しない外力がプッシュボタン１８、１９に作用するようなことがなくなる。このために、前記係合部２３と係合ピン６との係合が解除されることが防止されて、腕時計の脱落を防止することができる。
【００３６】
また、前記腕時計を手首から外す場合には、前記スライドカバー９を指先で摘んで、前記スライドカバー９の端部９ａが一方の時計バンド１の前記連かん駒１Ａの端部に衝接するまで、スライドカバー９をケース本体のケース待機部１０側に移動してプッシュボタン挿入溝部３０よりプッシュボタン１８、１９を、表板挿入溝３２より表板７をそれぞれ抜き出して、プッシュボタン１８、１９の押部２１Ａを表に出す。
【００３７】
そして、一方及び他方のプッシュボタン１８、１９の押し部２１Ａを親指と人差し指で挟んで内側に押すことにより、一方及び他方のプッシュボタン１８、１９を前記スプリング２０に抗して移動させることにより前記係合部２３間を開いて係合ピン６との係合を解除し、前記表板７を外に開いて、係合ピン６を孔部１５より抜き出し、前記取付棒２Ｂを表板７より外す。
【００３８】
（実施例２）
本発明の装身具の中留構造の実施例２を図７乃至図１１に示す。この実施例２の場合、実施例１の装身具の中留構造にカバー体係合機構３３を設けたものである。
【００３９】
すなわち、前記カバー体係合機構３３は、前記ケース本体４のカバー待機部１０の面部１０ａの中留枠部１１側に設けた穴３４に図１１の（１）に示す係合体Ｔとしての砲弾型のロックピン３５を圧入し、前記前記スライドカバー９のスライド孔２９の天井部２９ａのバンド長手方向の両端側に前記ロックピン３５が係脱可能に係合する係合凹部３６、３７を形成して構成してある。
【００４０】
そして、前記スライドカバー９が前記カバー待機部１０に位置している場合には、前記ロックピン３５が係合凹部３６に係合してスライドカバー９がみだりに動かないようになって、前記スライドカバー９を待機位置に保持することができる。また、スライドカバー９を指先で摘んで、前記ストッパー部３１が前記抜け止め突起１０Ａに衝接するまで、スライドカバー９をケース本体４の中留枠部１１側に移動した場合には、前記ロックピン３５が係合凹部３７に係合してスライドカバー９がみだりに動かないようになって、プッシュボタン覆い位置に保持することができる。そして、他の作動は上記した実施例１の場合と同様である。
【００４１】
また、前記カバー体係合機構３３の他の実施態様としては、前記係合体Ｔを、図１１の（２）に示すように前記穴３４に挿入されたばね筒３８内にスプリング３９とこのスプリング３９により付勢されてばね筒３８の絞られた開口部３８ａより一部を突出させたボール４０とを収容して構成しても良い。
【００４２】
また、前記カバー体係合機構３３の他の実施態様としては、図１１の（３）、（４）に示すように前記ケース本体４のカバー待機部１０の面部１０ａの中留枠部１１側に底部の両端部に溝部３９ａを有する穴４０を形成し、係合体Ｔをばね板材を蒲鉾型に成形して両端部に係合爪部４１を形成して、これらの係合爪部４１を溝部３９ａに多少の遊びｔを存して係合して係合体Ｔを穴４０に挿入して構成してもよいし、図１１の（５）に示すように係合体Ｔを、ゴムあるいはテフロンかプロピレン等の合成樹脂より成る弾性材で成形して係合体Ｔを穴４０に挿入して構成してもよい。
【００４３】
（実施例３）
本発明の装身具の中留構造の実施例３を図１２乃至図１５に示す。この実施例３の場合、前記スライドカバー９を適宜の位置に停止（固定）させる停止手段を備えており、他の構成は上記した実施例１の装身具の中留構造と同じである。この停止手段は、図１３、図１５に示すように前記ケース本体４のカバー待機部１０の中留枠部１１側に周方向に沿うリング溝部４２を形成して、このリング溝部４２にリング状の弾性体４３を嵌合して、この弾性体４３を、圧縮状態で前記スライドカバー９のスライド孔２９の周面に摺接して構成してある。弾性体４３としては、ゴムあるいはテフロン、プロピレン等の合成樹脂より成るリングを用いると良い。
【００４４】
したがって、前記スライドカバー９を指先で摘んで、スライドカバー９をケース本体４の中留枠部１１側に、またはカバー待機部１０側に移動してスライドカバー９から指先を離すことにより、弾性体４３とスライド孔２９の周面との摩擦力によりその位置にスライドカバー９を停止させることができる。このために、プッシュボタン挿入溝部３０にプッシュボタン１８、１９を、前記スライドカバー９の表板挿入溝３２に表板７をそれぞれ挿入し、このスライドカバー９でプッシュボタン１８、１９の押部２１Ａを覆い隠すことことにより、意図しない外力がプッシュボタン１８、１９に作用することをなくすことができる。また他の作動は上記した実施例１の場合と同様である。
【００４５】
（実施例４）
本発明の装身具の中留構造の実施例４を図１６乃至図１８に示す。この実施例４の場合、ケース本体４は中留枠部１１のみを有しており、ケース待機部１０が省略されていて、中留枠部１１に一方の連かん駒連結部１２Ａが形成してあり、この連かん駒連結部１２Ａに一方の時計バンド１の連かん駒１Ａがピン４５により連結してある。そして、この連かん駒１Ａの側面部にはピン４５側に寄せてストッパーピン４６が取り付けてある。
【００４６】
また、スライドカバー９は、このスライドカバー９が連かん駒１Ａを覆うように待機位置にある場合に、一方の連かん駒連結部１２Ａに対して前記ピン４５を支点にして連かん駒１Ａが回転できるように、その表面に切欠き状の開口部４７を備えており、また、プッシュボタン挿入溝部３０のバンド長手方向の両端部にはストッパー部３１Ａ、３１Ｂが形成してあり、他の構成は上記した実施例１の装身具の中留構造と同様である。
【００４７】
また、前記連かん駒１Ａにはカバー体係合機構３３が設けてある。このカバー体係合機構３３は、前記連かん駒１Ａの上面部１Ｂに設けた穴３４に図１６の（２）に示す係合体Ｔとしての砲弾型のロックピン３５を圧入し、前記前記スライドカバー９のスライド孔２９の天井部２９ａのバンド長手方向の両端側に前記ロックピン３５が係脱可能に係合する係合凹部３６、３７を形成して構成してある。
【００４８】
そして、上記した実施例２の場合と同様に前記腕時計を手首に装着した後に、前記スライドカバー９を指先で摘んで、前記ストッパー部３１Ａがストッパーピン４６に衝接するまで、スライドカバー９をケース本体４の中留枠部１１側に移動してプッシュボタン挿入溝部３０にプッシュボタン１８、１９を、開口部４７に表板７をそれぞれ挿入して、このスライドカバー９でプッシュボタン１８、１９の押部２１Ａを覆い隠す。このとき、ロックピン３５は、係合凹部３６に係合し、よって、スライドカバー９をプッシュボタン覆い位置に保持する。
【００４９】
したがって、プッシュボタン１８、１９の押部２１Ａがスライドカバー９により覆い隠されているために、意図しない外力がプッシュボタン１８、１９に作用するようなことがなくなる。このために、前記係合部２３と係合ピン６との係合が解除されることが防止されて、腕時計の脱落を防止することができる。
【００５０】
また、前記腕時計を手首から外す場合には、前記スライドカバー９を指先で摘んで、前記ストッパー部３１Ｂがストッパーピン４６に衝接するまで、スライドカバー９を連かん駒１Ａ側に移動してプッシュボタン挿入溝部３０よりプッシュボタン１８、１９を、表板挿入溝３２より表板７をそれぞれ抜き出して、プッシュボタン１８、１９の押部２１Ａを表に出す。このとき、ロックピン３５は係合凹部３７に係合し、スライドカバー９を待機位置に保持する。そして、一方及び他方のプッシュボタン１８、１９の押し部２１Ａを親指と人差し指で挟んで内側に押すことにより、一方及び他方のプッシュボタン１８、１９を前記スプリング２０に抗して移動させることにより前記係合部２３間を開いて係合を解除し、前記表板７を外に開いて、係合ピン６を孔部１５より抜き出し、前記取付棒２Ｂを表板７より外す。
【００５１】
上記のように実施例４の場合は、ケース本体４は中留枠部１１のみを有しており、ケース待機部１０が省略されていて、中留枠部１１に一方の連かん駒連結部１２Ａが形成してあり、この連かん駒連結部１２Ａに一方の時計バンド１の連かん駒１Ａがピン４５により連結してあるために、プッシュ中留機構３を短くすることが可能になって、時計バンドの屈曲性を良好にすることができる。
【００５２】
（実施例５）
本発明の装身具の中留構造の実施例５を図１９に示す。この実施例５の場合は、前記スライドカバー９が、一方の時計バンド１側でなく、他方の時計バンド２の端部に設けられている。
【００５３】
すなわち、一方の時計バンド１側においては、ケース本体４は中留枠部１１のみを有しており、ケース待機部１０が省略されていて、中留枠部１１に一方の連かん駒連結部１２Ａが形成してあり、この連かん駒連結部１２Ａに一方の時計バンドの連かん駒１Ａがピン４５により連結してある。
【００５４】
また、他方の時計バンド２側においては、この時計バンド２の連かん駒２Ａの側面部には取付棒２Ｂ側に寄せてストッパーピン４８が取り付けてある。そして、スライドカバー９は、前記連かん駒２Ａの一対のアーム部２Ｃがなす平面コ字形状の空間部と同様な開口部４９を、カバー本体２７と裏蓋２８とに形成してあり、その内部にバンド長手方向に沿うスライド孔２９が形成してある。このスライド孔２９の両側面側にはプッシュボタン挿入溝部３０が形成してあり、スライド孔２９のバンド長手方向の両側面側の端部にはストッパー部３１Ａ、３１Ｂが突設してある。
【００５５】
そして、このスライドカバー９は、そのスライド孔２９に連かん駒２Ａを摺動可能に挿入してこの連かん駒２Ａに被嵌されており、前記ストッパーピン４８がプッシュボタン挿入溝部３０に挿入してある。また、前記連かん駒２Ａにはカバー体係合機構３３が設けてある。
【００５６】
すなわち、このカバー体係合機構３３は、前記連かん駒２Ａのアーム部２Ｃの上面部に設けた穴３４に図１９の（２）に示す係合体Ｔとしての砲弾型のロックピン３５を圧入し、前記前記スライドカバー９のスライド孔２９の天井部２９ａのバンド長手方向の両端側に前記ロックピン３５が係脱可能に係合する係合凹部３６、３７を形成して構成してある。
【００５７】
次に、上記のように構成された中留構造を備えた時計バンド構造を有する腕時計の装着及びこの装着の解除とを説明する。
【００５８】
まず、腕時計を手首に沿わせた後に、他方の時計バンド２の端部の取付棒２Ｂを前記ケース本体４に連結された前記表板７に引っ掛け、この状態で、前記表板７を折り畳んで、この表板７を表板嵌合凹部に嵌合して表板７に設けた係合ピン６を孔部１５に挿入し、この係合ピン６を前記ボタン側係合部、すなわち一方及び他方の前記プッシュボタン１８、１９の互いに対向する前記係合部２３に係合して、前記腕時計を手首に装着する。
【００５９】
次に、前記スライドカバー９を指先で摘んで、前記ストッパー部３１Ｂが前記ストッパーピン４８に衝接するまで、スライドカバー９をケース本体４の中留枠部１１側に移動してプッシュボタン挿入溝部３０にプッシュボタン１８、１９を挿入して、このスライドカバー９でプッシュボタン１８、１９の押部２１Ａを覆い隠す。このとき、ロックピン３５は、係合凹部３６に係合し、よって、スライドカバー９をプッシュボタン覆い位置に保持する。
【００６０】
したがって、プッシュボタン１８、１９の押部２１Ａがスライドカバー９により覆い隠されているために、意図しない外力がプッシュボタン１８、１９に作用するようなことがなくなる。このために、前記係合部２３と係合ピン６との係合が解除されることが防止されて、腕時計の脱落を防止することができる。
【００６１】
また、前記腕時計を手首から外す場合には、前記スライドカバー９を指先で摘んで、前記ストッパー部３１Ａが前記ストッパーピン４８に衝接するまで、スライドカバー９を他方の時計バンド２の連かん駒２Ａ側に移動してプッシュボタン挿入溝部３０よりプッシュボタン１８、１９を抜き出して、プッシュボタン１８、１９の押部２１Ａを表に出す。
【００６２】
そして、一方及び他方のプッシュボタン１８、１９の押し部２１Ａを親指と人差し指で挟んで内側に押すことにより、一方及び他方のプッシュボタン１８、１９を前記スプリング２０に抗して移動させることにより前記係合部２３間を開いて係合を解除し、前記表板７を外に開いて、係合ピン６を孔部より抜き出し、前記取付棒２Ｂを表板７より外す。
【００６３】
上記のように実施例５の場合は、前記スライドカバー９が、一方の時計バンド１側でなく、他方の時計バンド２の端部に設けられており、一方の時計バンド１側においては、ケース本体４は中留枠部１１のみを有しており、ケース待機部１０が省略されていて、中留枠部１１に一方の連かん駒連結部１２Ａが形成してあり、この連かん駒連結部１２Ａに一方の時計バンドの連かん駒１Ａがピン４５により連結してあるために、プッシュ中留機構３を短くすることが可能になって、時計バンドの屈曲性を良好にすることができる。
【００６４】
（実施例６）
本発明の装身具の中留構造の実施例６を図２０乃至図２２に示す。この実施例６は、片プッシュタイプの装身具の中留構造である。この装身具の中留構造は、ケース本体４と、１個のプッシュボタン１８と２個のスプリング２０とを有するプッシュボタン機構部８と、スライドカバー９とを備えている。
【００６５】
前記ケース本体４はカバー待機部１０と中留枠部１１とを有しており、このカバー待機部１０の表面部には片側に寄せて一段高い張出し部５０が形成してあり、この張出し部５０を避けてカバー摺動部５１が形成してあって、このカバー摺動部５１の面部５１ａの中留枠部１１側にはカバー体係合機構３３のロックピン３５が設けてある。また、ケース本体４の中留枠部１１にプッシュボタン装入部１３が設けられている。このプッシュボタン装入部１３はその一端部が閉塞されていて、プッシュボタン装入部１３内にはバンド長手方向に離間してばね受け部５２、５３が設けてあり、また、プッシュボタン装入部１３内には１本の抜け止めピン５４が配置してある。
【００６６】
そして、前記プッシュボタン装入部１３内に、プッシュボタン１８が挿入してあって、このプッシュボタン１８の元側ばね受け部２５と先側ばね受け部２６とばね受け部５２、５３との間に、それぞれスプリング２０が介装してあり、これらのスプリング２０の付勢力によりプッシュボタン１８のストッパ部２４は前記抜け止めピン５４に当接していて、プッシュボタン１８の押し部２１Ａが、プッシュボタン装入部１３外方に突出している。
【００６７】
また、前記ケース本体４のカバー待機部１０には、これのカバー摺動部５１の摺接させて前記スライドカバー９がバンド長手方向に移動可能に装着してある。すなわち、スライドカバー９は、カバー本体４９の一側部にバンド長手方向に沿うスライド溝５５が形成してあり、このスライド溝５５の開口部とは反対側の端面部５５Ａにはプッシュボタン挿入溝部５６と、バンド長手方向に沿うガイド孔５７とが形成してある。また、スライドカバー９のスライド溝５５の内面には、表板挿入溝部５８と、バンド長手方向の両側に位置する係合凹部６２、６３とが形成してある。そして、スライドカバー９は、そのスライド溝５５に前記カバー摺動部５１を摺動可能に挿入し、しかも、前記ガイド孔５７に挿通されてカバー摺動部５１の側面に捩じ込まれたガイドピン５９により保持された状態でケース本体４に取り付けてある。この状態では、前記ロックピン３５が係合凹部６３に係脱可能に係合している。
【００６８】
次に、上記のように構成された中留構造を備えた時計バンド構造を有する腕時計の装着及びこの装着の解除とを説明する。
【００６９】
まず、腕時計を手首に沿わせた後に、他方の時計バンド２の端部の取付棒２Ｂを前記ケース本体４に連結された前記表板７に引っ掛け、この状態で、前記表板７を折り畳んで、この表板７を表板嵌合凹部１４に嵌合して表板７に設けた係合ピン６を孔部１５に挿入し、この係合ピン６を前記プッシュボタン１８の係合部３２に係合して、前記腕時計を手首に装着する。
【００７０】
次に、前記スライドカバー９を指先で摘んで、前記ガイドピン５９が前記ガイド孔５７のバンド側端部５７Ａに衝接するまで、スライドカバー９をケース本体４の中留枠部１１側に移動してプッシュボタン挿入溝部５６にプッシュボタン１８を、表板挿入溝５８に表板７をそれぞれ挿入して、このスライドカバー９でプッシュボタン１８の押部２１Ａを覆い隠す。この状態では、前記ロックピン３５が係合凹部６２に係脱可能に係合する。
【００７１】
したがって、プッシュボタン１８の押部２１Ａがスライドカバー９により覆い隠されているために、意図しない外力がプッシュボタン１８に作用するようなことがなくなる。このために、前記係合部３２と係合ピン６との係合が解除されることが防止されて、腕時計の脱落を防止することができる。
【００７２】
また、前記腕時計を手首から外す場合には、前記スライドカバー９を指先で摘んで、前記ガイドピン５９が前記ガイド孔５７の端部５７Ｂに衝接するまで、スライドカバー９をケース本体４のケース待機部１０側に移動してプッシュボタン挿入溝部５６よりプッシュボタン１８の押部２１Ａを、表板挿入溝５８より表板７をそれぞれ抜き出して、プッシュボタン１８の押部２１Ａを表に出す。そして、この押部２１Ａを押すことにより、プッシュボタン１８をスプリング２０に抗して移動してのこのプッシュボタン１８の係合部３２を係合ピン６から外す。
【００７３】
（実施例７）
また、上記した実施例１乃至実施例６においては、本発明の中留構造をシングル・ロックタイプの時計バンド構造に取り付けた場合を説明したが、実施例７では、本発明の中留構造を三つ折り構成の中折れ部材を有する時計バンド構造に取り付けるものである。
【００７４】
この装身具の中留構造は、図２３乃至、図２６に示すように板材を断面コ字形状に屈曲成形してなる表板６３を備えており、この表板６３のバンド短手方向の両側面部６３Ａの中間部にはボタン貫通孔６４が形成してあり、また、両側面部６３Ａの一方端は中板連結部６１に成されており、両側面部６３Ａの他方端はバンド連結部６２に成されている。また、一方の側面部６３Ａの略中央には係合突起６５が形成してある。
【００７５】
そして、前記表板６３の裏側には、その中間部に位置させてユニット化されたプッシュボタン機構部８が固着してあり、このプッシュボタン機構部８は、前記表板６３の裏側に入る大きさのボックス６７を備えており、このボックス６７の内部がバンド短手方向の両側が開口するプッシュボタン装入部１３に成されており、このプッシュボタン装入部１３には、図４に示すものと同様に一端側から一方のプッシュボタン１８が、他端側から他方のプッシュボタン１９がそれぞれ挿入してあって、一方のプッシュボタン１８の元側ばね受け部２５と他方のプッシュボタン１９の先側ばね受け部２６との間及び一方のプッシュボタン１８の先側ばね受け部２６と他方のプッシュボタン１９の元側ばね受け部２５との間に、それぞれ前記スプリング２０が介装してあり、これらのスプリング２０の付勢力により一方及び他方のプッシュボタン１８、１９は互いに離間されていて、一方のプッシュボタン１８のストッパ部２４は一方の抜け止めピン１６Ａに、他方のプッシュボタン１９のストッパ部２４は他方の抜け止めピン１６Ｂにそれぞれ当接している。
【００７６】
そして、一方及び他方のプッシュボタン１８、１９の係合部２３は互いに対向していて、これらでボタン側係合部を構成している。また、プッシュボタン１８、１９の押し部２１Ａが、プッシュボタン装入部１３からボタン貫通孔６４を貫通して外方に突出している。
【００７７】
そして、前記表板６３のカバー待機部６３Ｂにはスライドカバー６８がバンド長手方向に移動可能に設けてある。すなわち、このスライドカバー６８は前記表板６３の形状に倣う断面コ字形状に屈曲成形されていて、カバー面部６８Ａとこのカバー面部６８Ａのバンド短手方向の両端部に形成された端壁部６８Ｂとを備えており、カバー面部６８Ａの略中央部にはバンド長手方向に長いガイド孔６９が形成してある。そして、両端壁部６８Ｂは、図２６の（２）に示すように前記表板６３の両側面部６３Ａを抱くようにその端部を断面コ字形状に折り曲げた保持部７０に成されている。また、端壁部６８Ｂの中間にはこの端壁部６８Ｂを外方に膨出させて成るプッシュボタン挿入溝部７１が形成してあり、また、端壁部６８Ｂには図２５に示すようにバンド長手方向の両端側に位置させて前記係合突起６５に係脱可能に係合する係合孔部７２Ａ、７２Ｂが形成してある。そして、スライドカバー６８が前記表板６３に設けられた状態では、カバー面部６８Ａが表板６３の面部に重ねられており、前記ガイド孔６９にはガイドボルト７３が挿通されていて、このガイドボルト７３は表板６３の面部を貫通した状態でナット７３Ａにより固定されており、また、前記保持部７０が前記表板６３の両側面部６３Ａの端縁部を摺動可能に抱いている。
【００７８】
三つ折り構成の中折れ部材６０は、係合ピン７４を備えた外板７５と、この外板７５の一端部に回動可能に連結された中板７６とから構成されている。そして、前記外板７５の他端部は一方の時計バンド１の端部の連かん駒１Ａに回転可能に連結されており、前記中板７６の端部は前記プッシュ中留機構３の表板６３の中板連結部６１に連結ピン６１Ａで連結されており、この表板６３のバンド連結部６２は他方の時計バンド２の端部の連かん駒２Ｂに連結されている。
【００７９】
そして、前記スライドカバー６８が表板６３のカバー待機部６３Ｂにある状態では、前記係合突起６５が係合孔部７２Ａに係脱可能に係合してスライドカバー６８を表板６３のカバー待機部６３Ｂに保持している。
【００８０】
そして、前記腕時計を手首に装着する場合には、三つ折り構成の中折れ部材６０において、前記中板７６を前記外板７５側に折り畳んで、この外板７５に設けた前記係合ピン７４を、前記プッシュ中留機構３の孔部１５に挿入して、この係合ピン７４を前記ボタン側係合部、すなわち図４に示すものと同様に一方及び他方のプッシュボタン１８、１９の互いに対向する前記係合部２３に係合する。
【００８１】
次に、前記スライドカバー６８を指先で摘んで、前記係合突起６５が係合孔部７２Ｂに係脱可能に係合するまで、スライドカバー６８をプッシュボタン機構部８側に移動してプッシュボタン挿入溝部７１にプッシュボタン１８、１９のそれぞれの押部２１Ａを挿入して、これらの押部２１Ａを覆い隠す。
【００８２】
したがって、プッシュボタン１８、１９の押部２１Ａがスライドカバー９により覆い隠されているために、意図しない外力がプッシュボタン１８、１９に作用するようなことがなくなる。このために、前記係合部２３と係合ピン７４との係合が解除されることが防止されて、腕時計の脱落を防止することができる。
【００８３】
また、前記腕時計を手首から外す場合には、前記スライドカバー６８を指先で摘んで、前記係合突起６５が係合孔部７２Ａに係脱可能に係合するまで、スライドカバー６８をケース待機部６３Ｂ側に移動してプッシュボタン挿入溝部７１よりプッシュボタン１８、１９を抜き出して、プッシュボタン１８、１９の押部２１Ａを表に出す。そして、指先でプッシュボタン１８、１９の押部２１Ａを押すことにより、プッシュボタン１８、１９をスプリング２０に抗して移動しプッシュボタン１８、１９の係合部２３を係合ピン７４から外し、前記中板７６を前記外板７５から外して拡開して行う。
【００８４】
（実施例８）
上記の実施例１乃至５、及び７においては、プッシュボタン１８、１９の双方を覆い隠すスライドカバー９（６８）を提示した。しかしながら、本発明のスライドカバーには、プッシュボタン１８、１９のいずれか一方を覆い隠すものであってもよい。それは、次の実施例８で明かになろう。実施例８では、本発明の中留構造を観音開き構成の中折れ部材を有する時計バンド構造に取り付けるものである。
【００８５】
この中留構造のプッシュ中留機構３は、図２７乃至図３２に示すように板材を断面コ字形状に屈曲成形してなる表板６３を備えており、この表板６３のバンド短手方向の両側面部６３Ａにはボタン貫通孔６４とバンド長手方向に長いガイド孔７８とが形成してあり、また、両側面部６３Ａの一方端は連かん駒連結部６１に成されている。また、一方の側面部６３Ａの略中央には係合突起７９が形成してある。
【００８６】
そして、前記表板６３の裏側には、その中間部に位置させてユニット化されたプッシュボタン機構部８が固着してあり、このプッシュボタン機構部８は、上記した実施例７におけるプッシュボタン機構部８と同構成である。また、プッシュボタン１８、１９の押し部２１Ａが、プッシュボタン装入部１３から前記ボタン貫通孔６４を貫通して外方に突出している。
【００８７】
そして、前記表板６３の両側面部６３Ａにおける、プッシュボタン１８が突出する側面部６３Ｃのみにスライドカバー８０がバンド長手方向に移動可能に設けてある。すなわち、このスライドカバー８０は前記表板６３の側面部６３Ｃの形状に倣う短冊形状であり、スライドカバー８０には、この面部を外方に膨出させて成るプッシュボタン挿入溝部８１が形成してあり、このプッシュボタン挿入溝部８１の先端部は、図２８に示すようにスライドカバー８０の先端側に解放しており、プッシュボタン挿入溝部８１の基端部は閉塞されている。また、スライドカバー８０には図２８に示すようにバンド長手方向の両端側に位置させて前記係合突起７９に係脱可能に係合する係合孔部８２Ａ、８２Ｂが形成してある。
【００８８】
そして、前記表板６３の内側から前記ガイド孔７８に挿通されたガイドピン８３がスライドカバー８０の基端部の内面側にねじ止めされていて、スライドカバー８０が前記表板６３の両側面部６３Ａの外方にバンド長手方向に移動可能に設けられている。
【００８９】
また、観音開き構成である中折れ部材７７は、中折れ部材側係合部である係合ピン８５を有する外板８６の一端部に一方の中板８７の一端部を、外板８６の他端部に他方の中板８８の一端部をそれぞれ枢着して構成されており、この観音開き構成の中折れ部材７７の一方の中板８７の他端部は一方の時計バンド１の端部の連かん駒１Ａに連結されており、他方の中板８８の他端部は前記プッシュボタン中留機構３の表板６３の中板連結部（図示せず）に連結ピン（図示せず）で連結されており、表板６３の連かん駒連結部６１に孔６２を介して他方の時計バンド２の端部の連かん駒２Ａが連結されている。
【００９０】
そして、前記スライドカバー８０が表板６３のカバー待機部６３Ｂにある状態では、前記係合突起７９が係合孔部８２に係脱可能に係合してスライドカバー８０を表板６３のカバー待機部６３Ｂに保持している。
【００９１】
そして、前記腕時計を手首に装着する場合には、観音開き構成の中折れ部材７７において、一方の中板８７を前記外板８６側に折り畳んだ後に、他方の中板８８を前記外板８６側に折り畳んで、この外板８６に設けた前記係合ピン８５を、前記プッシュ中留機構３の孔部１５に挿入して、この係合ピン８５を前記ボタン側係合部、すなわち一方及び他方のプッシュボタン１８、１９の互いに対向する係合部２３に係合する。
【００９２】
次に、前記スライドカバー８０を指先で摘んで、前記係合突起７９が係合孔部８２Ｂに係脱可能に係合するまで、スライドカバー８０をプッシュボタン機構部８側に移動してプッシュボタン挿入溝部８１にプッシュボタン１８の押部２１Ａを挿入して、その押部２１Ａを覆い隠す。さて、この状態においては、プッシュボタン１８の押部２１Ａは、スライドカバー８０に覆い隠されているために、意図しない外力が負荷されようとも、プッシュボタン１８は押圧されないが、スライドカバー８０に覆い隠されていないプッシュボタン１９は、外力の負荷により押圧されてしまう。
【００９３】
しかしながら、プッシュボタン１９のみが押圧されても、表板６３を外板８６から外して、外板８６より他方の中板８８を拡開することはできない。なぜならば、プッシュボタン１９が押圧されると、プッシュボタン１９の円弧状の係合部は係合ピン８５より離間し、よってプッシュボタン１９と係合ピン８５の係合は解除されてしまうが、プッシュボタン１８が押圧されない限り、プッシュボタン１８の円弧状の係合部は、係合ピン８５との係合を保持しているためである。すなわち、プッシュボタン１８、１９双方を押圧しない限り、プッシュボタン１８、１９の互いに対向する係合部２３と係合ピン８５の係合は解除されないためである。
【００９４】
このように図４に示すプッシュ中留機構を本発明に用いる場合は、プッシュボタン１８、１９のいずれか一方を、本発明のスライドカバーによって覆い隠せば良い。
【００９５】
したがって、プッシュボタン１８の押部２１Ａがスライドカバー８０により覆い隠されているために、意図しない外力がプッシュボタン１８に作用するようなことがなくなる。このために、図４に示すものと同様に前記係合部２３と係合ピン８５との係合が解除されることが防止されて、腕時計の脱落を防止することができる。
【００９６】
また、前記腕時計を手首から外す場合には、前記スライドカバー８０を指先で摘んで、前記係合突起７９が係合孔部８２Ａに係脱可能に係合するまで、スライドカバー８０をケース待機部６３Ｂ側に移動してプッシュボタン挿入溝部８１よりプッシュボタン１８を抜き出して、プッシュボタン１８の押部２１Ａを表に出す。そして、指先でプッシュボタン１８、１９の押部２１Ａを押すことにより、プッシュボタン１８、１９をスプリング２０に抗して移動しプッシュボタン１８、１９の前記係合部２３を係合ピン８５から外し、他方の中板８８を前記外板８６から外して拡開した後に、一方の中板８７を前記外板８６から外し拡開して行う。
【００９７】
上記の各実施例によって明らかなように、前記カバー体（スライドカバー）はプッシュボタン全体を覆う方が好ましいが、プッシュボタンが押圧できないように覆っているならば、プッシュボタンの少なくとも一部分を覆っていれば、本発明の目的を達成するものである。また、前記カバー体の形状は、中空の箱体、断面コの字型の枠体、断面Ｌの字型の枠体、あるいは平板であっても良く、実施する形態によって、様々な形状が可能であることは言うまでもない。
【００９８】
【発明の効果】
以上説明したように、本発明に係わる装身具の中留は、装身具の短手方向の側面より突出したプッシュボタンのプッシュ操作により前記プッシュボタンの係合部と係合部材の係合部との係合を解除できるプッシュ中留機構を備え、このプッシュ中留機構に、一方向への動きにより前記プッシュボタンを覆い且つ他方向への動きにより前記プッシュボタンを露出させるカバー体を設けたことにより、装身具である腕時計を手首に沿わせて係合部材の係合部をボタン側係合部に係合して、腕時計を手首に装着した後に、カバー体を指先で摘んで、このカバー体を一方向に移動してカバー体でプッシュボタンの押部を覆い隠し、意図しない外力がプッシュボタンに作用するようなことがなくなる。このために、前記プッシュボタンの係合部と係合部材の係合部との係合が解除されることが防止されて、腕時計の脱落を防止することができる。
【００９９】
また、前記腕時計を手首から外す場合には、前記カバー体を指先で摘んで、他方向に移動して前記プッシュボタンを表に出し、プッシュボタンの押し操作により、係合部材の係合部のプッシュボタンの係合部への係合を解除することにより行われる。
【０１００】
また、本発明に係わる装身具の中留は、前記カバー体を前記プッシュ中留機構、もしくは前記プッシュ中留機構に連結される装身具の連結端に設けてあることにより、上記の発明の効果と同様な効果を奏し得るばかりか、中留構造を短くすることが可能になって、装身具の屈曲性を良好にすることができる。
【０１０１】
また、本発明に係わる装身具の中留は、前記カバー体に係脱可能に係合するカバー体係合機構を備えたことにより上記の発明の効果と同様な効果を奏し得るばかりか、前記カバー体係合機構が前記カバー体を、例えばプッシュボタンを覆い隠す位置に固定することにより、意図しない外力によりプッシュボタンが押圧されて中留機構の係合部と係合部材の係合部との係合が解除されることを確実に防ぐことができる。
【０１０２】
また、本発明に係わる装身具の中留は、前記カバー体の移動が摺動で行われて前記カバー体が適宜の位置に停止されることにより、上記の発明の効果と同様な効果を奏し得るばかりか、前記カバー体係合機構が前記カバー体を、例えばプッシュボタンを覆い隠す位置に固定することにより、意図しない外力によりプッシュボタンが押圧されて中留機構の係合部と係合部材の係合部との係合が解除されることを確実に防ぐことができるし、他の適宜の位置に前記カバー体を停止することにより、プッシュ操作を行えばよく、このプッシュ操作を容易なものにすることができる。
【０１０３】
また、本発明に係わる装身具の中留は、前記カバー体の、前記プッシュ中留機構、もしくは前記プッシュ中留機構に連結される装身具の連結端からの脱落を防止する抜け止め機構を備えたことにより、上記の発明の効果と同様な効果を奏し得るばかりか、前記カバー体の脱落がなく、前記カバー体のプッシュボタンを覆い隠す位置への固定を常に行うことができる。
【０１０４】
また、本発明に係わる装身具の中留は、前記プッシュ中留機構が両プッシュ中留構成であることにより、上記の発明の効果と同様な効果を奏し得るばかりか、従来の中留構造とはほぼ同じ製品化が可能になる。
【０１０５】
また、本発明に係わる装身具の中留は、前記プッシュ中留機構が片プッシュ中留構成であることにより、上記の発明の効果と同様な効果を奏し得るばかりか、従来の中留構造とはほぼ同じ製品化が可能になる。
【０１０６】
また、本発明に係わる装身具の中留構造は、前記プッシュ中留機構を、中折れ部材が複数折れの装身具構成に設けたことにより、上記の発明の効果と同様な効果を奏し得るばかりか、従来の中留構造とはほぼ同じ製品化が可能になる。
【０１０７】
また、本発明に係わる装身具の中留構造は、前記プッシュ中留機構を、中折れ部材が観音開きの装身具構成に設けたことにより、上記の発明の効果と同様な効果を奏し得るばかりか、従来の中留構造とはほぼ同じ製品化が可能になる。
【図面の簡単な説明】
【図１】本発明に係わる装身具の中留構造の実施例１の斜視図である。
【図２】図１のＡ−Ａ線に沿う断面図である。
【図３】図１のＢ−Ｂ線に沿う断面図である。
【図４】図２のＣ−Ｃ線に沿う断面図である。
【図５】スライドカバーの断面図である。
【図６】スライドカバーのバンド長手方向の端部の一部省略した斜視図である。
【図７】本発明に係わる装身具の中留構造の実施例２の斜視図である。
【図８】図７のＤ−Ｄ線に沿う断面図である。
【図９】図７のＥ−Ｅ線に沿う断面図である。
【図１０】スライドカバーの断面図である。
【図１１】（１）は同装身具の中留構造におけるカバー体係合機構の係合体の正面図である。
（２）は同カバー体係合機構の他の係合体の縦断面図である。
（３）は同カバー体係合機構の別の他の係合体の縦断面図である。
（４）は（３）のＦ部の拡大図である。
（５）は同カバー体係合機構の別の他の係合体の縦断面図である。
【図１２】本発明に係わる装身具の中留構造の実施例３の斜視図である。
【図１３】図１２のＧ−Ｇ線に沿う断面図である。
【図１４】図１２のＨ−Ｈ線に沿う断面図である。
【図１５】（１）は図１３のＩ部の分解状態の斜視図である。
（２）は図１３のＪ−Ｊ線に沿う断面図である。
【図１６】（１）は本発明に係わる装身具の中留構造の実施例４の斜視図である。
（２）はカバー体係合機構の説明図である。
【図１７】図１６のＫ−Ｋ線に沿う断面図である。
【図１８】同装身具の中留構造における連かん駒の斜視図である。
【図１９】（１）は本発明に係わる装身具の中留構造の実施例５の斜視図である。
（２）はカバー体係合機構の説明図である。
【図２０】本発明に係わる装身具の中留構造の実施例６の斜視図である。
【図２１】図２０のＬ−Ｌ線に沿う断面図である。
【図２２】本発明に係わる装身具の中留構造の一部省略した平面図である。
【図２３】本発明に係わるプッシュ中留構造（実施例７）を備えた三つ折り構成の時計バンド構造の斜視図である。
【図２４】本発明に係わるプッシュ中留構造の実施例７の表側から見た斜視図である。
【図２５】同プッシュ中留構造の裏側から見た斜視図である。
【図２６】（１）はカバー体の案内機構部の断面図である。
（２）は図２５のＮ部の詳細図である。
【図２７】本発明に係わるプッシュ中留構造（実施例８）を備えた観音開き構成の時計バンド構造の斜視図である。
【図２８】本発明に係わるプッシュ中留構造の実施例８の一部省略した斜視図である。
【図２９】図２８のＯ−Ｏ線に沿う断面図である。
【図３０】図２８のＰ−Ｐ線に沿う断面から見た斜視図である。
【図３１】表板の一部省略した斜視図である。
【図３２】スライドカバーの裏側から見た斜視図である。
【図３３】従来のプッシュ中留構造を備えた時計バンド構造の一部省略した斜視図である。
【図３４】従来のプッシュ中留構造の内部構成の平面図である。
【符号の説明】
１  一方の時計バンド
２  他方の時計バンド
３  プッシュ中留機構
６  係合ピン（係合部）
７  表板（係合部材）
８  プッシュボタン機構部
９  スライドカバー
１８、１９  プッシュボタン
【図１】
0003690850.tif 000002
【図２】
0003690850.tif 000003
【図３】
0003690850.tif 000004
【図４】
0003690850.tif 000005
【図５】
0003690850.tif 000006
【図６】
0003690850.tif 000007
【図７】
0003690850.tif 000008
【図８】
0003690850.tif 000009
【図９】
0003690850.tif 000010
【図１０】
0003690850.tif 000011
【図１１】
0003690850.tif 000012
【図１２】
0003690850.tif 000013
【図１３】
0003690850.tif 000014
【図１４】
0003690850.tif 000015
【図１５】
0003690850.tif 000016
【図１６】
0003690850.tif 000017
【図１７】
0003690850.tif 000018
【図１８】
0003690850.tif 000019
【図１９】
0003690850.tif 000020
【図２０】
0003690850.tif 000021
【図２１】
0003690850.tif 000022
【図２２】
0003690850.tif 000023
【図２３】
0003690850.tif 000024
【図２４】
0003690850.tif 000025
【図２５】
0003690850.tif 000026
【図２６】
0003690850.tif 000027
【図２７】
0003690850.tif 000028
【図２８】
0003690850.tif 000029
【図２９】
0003690850.tif 000030
【図３０】
0003690850.tif 000031
【図３１】
0003690850.tif 000032
【図３２】
0003690850.tif 000033
【図３３】
0003690850.tif 000034
【図３４】
0003690850.tif 000035